(57)【要約】【課題】アダプターを常に本体に装着した状態で使用でき、したがって、アダプターを紛失し、あるいはその収納場所を確保する必要がないアダプター付き充電装置を提供する。【解決手段】本考案は、充電装置本体と該充電装置本体に設けたアダプター挿入部に着脱自在に装着する変換アダプターとからなる。前記充電装置本体は被充電蓄電池の端子と接続する端子を有する蓄電池挿入部と、前記変換アダプターの端子と接続する端子を有するアダプター挿入部とを有する。また前記充電装置本体は被充電蓄電池に充電する充電回路を内蔵する。前記変換アダプターは被充電蓄電池の特性に合わせた複数の回路を内蔵し、該アダプターを被充電蓄電池の特性にあわせて前記本体のアダプター挿入部に挿入し、前記蓄電池充電回路側と被充電蓄電池側との端子間を接続し、被充電蓄電池を充電する。【選択図】図１
0003124307.tif 000002
【実用新案登録請求の範囲】
【請求項１】
充電装置本体と該充電装置本体に設けたアダプター挿入部に着脱自在に装着する変換アダプターとからなり、
前記充電装置本体は被充電蓄電池の端子と接続する端子を有する蓄電池挿入部と、前記変換アダプターの端子と接続する端子を有するアダプター挿入部とを有し、かつ該充電装置本体は被充電蓄電池に充電する充電回路を内蔵し、
前記変換アダプターは被充電蓄電池の特性に合わせた複数の回路を内蔵し、該アダプターを被充電蓄電池の特性にあわせて前記本体のアダプター挿入部に挿入し、前記蓄電池充電回路側と被充電蓄電池側との端子間を接続し、被充電蓄電池を充電する変換アダプター付き充電装置。
【考案の詳細な説明】
【技術分野】
【０００１】
本考案は、複数種類の蓄電池に対して充電可能な変換アダプター付き充電装置に関するものである。
【背景技術】
【０００２】
充電可能な蓄電池としてニッケル−カドミウム蓄電池、ニッケル−水素電池、リチウム電池等が提供されている。
上記各蓄電池はそれぞれ専用の充電装置により充電され、使用される。そのため専用の充電装置を用意する必要がある。携帯電話、電子カメラ、家庭用電子・電気機器、玩具等々近年、蓄電池の使用は増加し、それに伴い蓄電池の充電装置も多様化し、台数が増える傾向にある。
このため異種蓄電池の充電を、アダプターを代えることで対処する技術が提案されている（例えば特許文献１参照）。
【０００３】
【特許文献１】特開平６−２３３４７２号公報
【考案の開示】
【考案が解決しようとする課題】
【０００４】
しかし、特許文献１に開示されている蓄電池充電用アダプターは、一の蓄電池を充電する時には一のアダプターを用いるが、他の蓄電池を充電するときにはそのアダプターが不要となり、アダプターが不要なときにはこれを保管しなければならず、時によってはアダプターを紛失することがあり、その保管に煩わしさが付き纏っていた。
【０００５】
本考案は、かかる従来の煩わしさを解消し、アダプターを紛失することのない変換アダプター付き充電装置を提供するものである。
【課題を解決するための手段】
【０００６】
本考案の変換アダプター付き充電装置は、充電装置本体と該充電装置本体に設けたアダプター挿入部に着脱自在に装着する変換アダプターとからなり、前記充電装置本体は被充電蓄電池の端子と接続する端子を有する蓄電池挿入部と、前記変換アダプターの端子と接続する端子を有するアダプター挿入部とを有し、かつ該充電装置本体は被充電蓄電池に充電する充電回路を内蔵し、前記変換アダプターは被充電蓄電池の特性に合わせた複数の回路を内蔵し、該アダプターを被充電蓄電池の特性にあわせて前記本体のアダプター挿入部に挿入し、前記蓄電池充電回路側と被充電蓄電池側との端子間を接続し、被充電蓄電池を充電する充電装置である。
【考案の効果】
【０００７】
本考案によれば、アダプターを紛失することのない変換アダプター付き充電装置を提供することができる。
【考案を実施するための最良の形態】
【０００８】
以下本考案を、図面を参照しつつ詳細に説明する。
図１〜４は本考案変換アダプター付き充電装置の第一の実施形態を示すもので、ニッケル−カドミウム蓄電池とニッケル−水素蓄電池との２種類の蓄電池を充電する変換アダプター付き充電装置１を示し、該充電装置１は充電装置本体１２と該充電装置本体１２に着脱自在な変換アダプター１３とで構成されている。
前記充電装置本体１２は図１、２に示すように蓄電池挿入部２１と変換アダプター挿入部３１とが設けられている。
【０００９】
充電装置本体１２の変換アダプター挿入部３１を介して一方には商用電源に接続する電源コード５１を有する充電回路４１が内蔵されている。なお、充電回路４１は各被充電蓄電池を充電する回路のうち共通する回路部分である。充電装置本体１２の変換アダプター挿入部３１を介して他方には被充電蓄電池２（ニッケル−水素電池ＮＨ又はニッケル−カドミウム蓄電池ＮＣ）の端子と接続する配線４２、４３が内蔵されている。
充電装置本体１２に設けた蓄電池挿入部２１には端子２３、２４が設けられ、該端子２３、２４は充電装置本体１２に内蔵の配線４２、４３に接続されている。
充電装置本体１２に設けたアダプター挿入部３１の壁面には端子３３、３４、３５、３６が設けられている。前記充電回路４１側の壁面に設けた端子３３、３６には充電回路４１の出入力が接続され、蓄電池挿入部２１側の壁面に設けた端子３４、３５には前記配線４２、４３が接続されている。
【００１０】
変換アダプター１３の一方（上側）の側面には図３（イ）に示すように、ニッケル−カドミウム蓄電池ＮＣを充電する端子５４、５５、５６、５７が設けられ、該端子間を接続する配線５２、５３が内蔵されている。
ニッケル−カドミウム蓄電池ＮＣを充電する配線５２、５３は具体的には図３（イ）に示すように端子５４と端子５５とを接続する導線５２と、端子５６と端子５７とを接続する導線５３とで構成されている。
【００１１】
一方、変換アダプター１３の他方（下側）の側面には図３（ロ）に示すように、ニッケル−水素電池ＮＨを充電する端子７１、７２、７３、７４が設けられ、図３（ハ）に示す充電回路６１が内蔵されている。各端子７１〜７４には該充電回路６１の入出力が接続されている。
ニッケル−水素電池を充電する充電回路６１は、図３（ハ）に示すように、コンデンサー６２と発信回路６３と抵抗６４、６５、６６とトランジスタ６７、６８とで構成され、入力側に端子７１、７２が接続され、出力側に端子７３、７４が接続されている。
【００１２】
次に、図４（イ）に示すニッケル−カドミウム蓄電池ＮＣを充電する工程につき説明する。
充電装置本体１２のアダプター挿入部３１に、変換アダプター１３を、該アダプター１３のニッケル−カドミウム蓄電池充電側を下にして差し込む。アダプター１３を差し込むことにより充電回路４１−端子３３−端子５４−配線（導線）５２−端子５５−端子３４−配線４２−端子２３の回路と、充電回路４１−端子３６−端子５７−配線（導線）５３−端子３５−端子５６−配線４３−端子２４の回路とが形成される。次いで蓄電池挿入部２１にニッケル−カドミウム蓄電池ＮＣを挿入し、蓄電池ＮＣの端子２８と充電装置本体１２側の端子２３とを接続し、蓄電池ＮＣの端子２９と本体１２側の端子２４とを接続する。このように、蓄電池ＮＣが充電装置本体１２の蓄電池挿入部２１に挿入され、端子相互（端子２３−２８、２４−２９）が接続されることにより商用電源からの電力が蓄電池ＮＣに流れ、蓄電池ＮＣが充電される。
【００１３】
一方、ニッケル−水素電池ＮＨを充電するには、図４（ロ）に示すようにアダプター１３を前回とは上下を反対にして、即ちニッケル−水素電池充電側をアダプター挿入部３１に差し込む。このようにアダプター１３をアダプター挿入部３１に差し込むことで、充電回路４１−端子３３−端子７１−充電回路６１−端子７２−端子３４−配線４２−端子２３の回路と、充電回路４１−端子３６−端子７４−充電回路６１−端子７３−端子３５−配線４３−端子２４の回路とが形成される。次いで蓄電池挿入部２１にニッケル−水素蓄電池ＮＨを挿入すると蓄電池ＮＨの端子２８と本体側の端子２３とが接続し、蓄電池ＮＨの端子２９と本体側の端子２４とが接続し、商用電源からの電力が蓄電池ＮＨに流れ、ニッケル−水素蓄電池ＮＨが充電される。
【００１４】
なお、アダプター１３の上辺と下辺には充電する蓄電池２の種類を明記することができる。例えば図１に示すように「ＮｉＣｄ」「ＮｉＭＨ」と表示することで蓄電池の種類に応じた充電を間違いなく行なうことができる。
【００１５】
図５〜７は本考案変換アダプター付き充電装置１の第ニの実施形態を示すもので、第一の実施形態と相違するところは、後述するように、変換アダプター１３１に設ける端子の数を上下で異ならせた点である。第一の実施形態と相違する点を中心に以下説明する。なお、第一の実施形態と共通する部分は同一符号を付け、説明を省略する。
図５は充電装置本体１２１に内蔵する回路を示すもので、充電回路４１の一方の端子（図５では出力側の端子）と蓄電池挿入部２１の端子２４とは配線４３により直接に接続されている。したがってアダプター挿入部３１に設ける端子は入力側に端子３３、３４、配線４３の途中に設ける出力側端子３８の３つとなる。
なお、配線４３は端子３８を介して接続してもよく、あるいは配線４３の途中を分岐して端子３８と接続してもよい。
【００１６】
変換アダプター１３１はその一方（上側）にニッケル−カドミウム蓄電池ＮＣを充電する配線５２が、他方（下側）にはニッケル−水素電池ＮＨを充電する回路６１が内蔵されている。
図６（イ）に示すようにアダプター１３１の上側にはニッケル−カドミウム蓄電池ＮＣを充電する配線５２が内蔵されている。配線５２は端子５４と端子５５とを接続する導線で構成されている。
一方、ニッケル−水素電池ＮＨを充電する回路６１は、第一実施形態と同じであり、図６（ロ）（ハ）に示すように、入力側は端子７１、７２に接続されている。出力側は端子７８に接続され、端子７８は配線４３の途中に設けた端子３８と接続する。
【００１７】
次に、被充電蓄電池２に充電する工程を説明する。
先ず、図７（イ）に示すニッケル−カドミウム蓄電池ＮＣを充電する工程につき説明する。
充電装置本体１２１のアダプター挿入部３１に、変換アダプター１３１を、該アダプター１３１のニッケル−カドミウム蓄電池充電側を下にして差し込む。アダプター１３１を差し込むことにより充電回路４１−端子３３−端子５４−配線（導線）５２−端子５５−端子３４−配線４２−端子２３の回路が形成される。次いで蓄電池挿入部２１にニッケル−カドミウム蓄電池ＮＣを挿入し、蓄電池ＮＣの端子２８と本体側の端子２３とが接続し、蓄電池ＮＣの端子２９と本体側の端子２４とが接続すると、商用電源からの電力が蓄電池ＮＣに流れ、蓄電池ＮＣが充電される。
【００１８】
一方、ニッケル−水素電池ＮＨを充電するには、図７（ロ）に示すようにアダプター１３１を前回とは上下を反対にして、即ちニッケル−水素電池充電側をアダプター挿入部３１に差し込む。このようにアダプター１３１を差し込むことで、充電回路４１−端子３３−端子７１−充電回路６１−端子７２−端子３４−配線４２−端子２３の回路と、充電回路４１−端子３６−端子７８−充電回路６１−配線４３−端子２４の回路とが形成される。次いで蓄電池挿入部２１にニッケル−水素蓄電池ＮＨを挿入すると蓄電池ＮＨの端子２８と本体側の端子２３とが接続し、蓄電池ＮＨの端子２９と本体側の端子２４とが接続して商用電源からの電力が蓄電池ＮＨに流れ、ニッケル−水素蓄電池ＮＨが充電される。
【００１９】
第二実施形態では上述したようにアダプターの上下に設ける端子の数が相違する。したがって蓄電池による充電回路を間違いなく選択することが可能となるが、より間違いを少なくするためには第一実施形態と同様アダプター１３１の上辺と下辺に充電する蓄電池２の種類を明記することで蓄電池の種類に応じた充電を間違いなく行なうことができる。
【００２０】
以上はアダプター１３、１３１の上下側壁に端子を設け、アダプター挿入部３１の側壁に設けた端子とそれぞれ接続するように構成した実施形態につき説明したが、アダプター１３、１３１の上辺部、下辺部に端子を設け、アダプター挿入部３１の底面に対応する端子を設けるように構成してもよい。
また、上記実施形態は２種類の蓄電池を充電する事例であるが、例えばアダプターを正方形、あるいは正立方体とし、アダプター挿入部に４つ、又は６つの方向から挿入できるように構成し、蓄電池に応じた回路を変換アダプターに内蔵することで３〜４種類の蓄電池の充電に対応することが可能である。
【００２１】
上述したように、本考案ではアダプターを常に本体に装着した状態で使用するため、アダプターを紛失することがなく、また、その収納場所を確保する必要がない優れた効果を有する変換アダプター付き充電装置を提供することができる。
【図面の簡単な説明】
【００２２】
【図１】本考案の第一実施形態を示す斜視図である。
【図２】本考案の第一実施形態における本体に内蔵される回路を示す説明図である。
【図３】（イ）（ロ）（ハ）は本考案の第一実施形態において、アダプターに内蔵される回路を示す説明図である。
【図４】（イ）（ロ）は本考案の第一実施形態において、蓄電池に充電する工程を示す回路説明図である。
【図５】本考案の第ニ実施形態における本体に内蔵される回路を示す説明図である。
【図６】（イ）（ロ）（ハ）は本考案の第ニ実施形態において、アダプターに内蔵される回路を示す説明図である。
【図７】（イ）（ロ）は本考案の第ニ実施形態において、蓄電池に充電する工程を示す回路説明図である。
【符号の説明】
【００２３】
１      アダプター付き充電装置
２      被充電蓄電池
ＮＣ    ニッケル−カドミウム蓄電池
ＮＨ   ニッケル−水素電池
１２    充電装置本体
１３    変換アダプター
２１    蓄電池挿入部
２３    端子
２４    端子
２８    端子
２９    端子
３１    変換アダプター挿入部
３３    端子
３４    端子
３６    端子
３８    端子
３９    端子
４１    充電回路
５２    導線
５３    導線
５４    端子
５５    端子
５６    端子
５７    端子
６１    充電回路
６２    コンデンサー
６３    発信回路
６４    抵抗
６７    トランジスタ
７１    端子
７２    端子
７３    端子
７４    端子
７８    端子
１３１  変換アダプター
【図１】
0003124307.tif 000003
【図２】
0003124307.tif 000004
【図３】
0003124307.tif 000005
【図４】
0003124307.tif 000006
【図５】
0003124307.tif 000007
【図６】
0003124307.tif 000008
【図７】
0003124307.tif 000009